(57)【要約】【課題】熱や冷気の伝わりやすい部位を少なくした断熱性能の高い床構造を提供する。【解決手段】本床構造は、床下構造材（大引き１０）間に第１の断熱材１１を嵌め込み、床下構造材（大引き１０）および床下構造材間に設置した第１の断熱材１１の上に下地材１２を設置し、その下地材１２の上に第２の断熱材２２を有した下地用パネル２０を設置し、さらにその下地用パネル２０の上に仕上げ用床材３０を着脱自在に設置する構造となっている。【選択図】図１
2013217130.tif 000002
【特許請求の範囲】
【請求項１】
床下構造材間に第１の断熱材を嵌め込み、該床下構造材および該第１の断熱材の上に下地材を設置し、該下地材の上に第２の断熱材を有した下地用パネルを設置し、該下地用パネルの上に仕上げ用床材を着脱自在に設置することを特徴とする床構造。
【請求項２】
請求項１において、
前記下地用パネルの表面と、前記仕上げ用床材の裏面とのいずれか一方に凸部が形成され、他方に該凸部と嵌合する凹部が形成されている床構造。
【請求項３】
請求項１または２において、
前記下地用パネルと、前記仕上げ用床材とは面ファスナーにより着脱自在とされる床構造。
【請求項４】
請求項１〜３のいずれか１項において、
前記下地用パネルの端部には、下地用パネル同士を連結する嵌合部が形成されている床構造。
【請求項５】
請求項４において、
前記嵌合部は止具にて前記下地材に固定される床構造。
【発明の詳細な説明】
【技術分野】
【０００１】
本発明は、断熱材を有した床構造に関する。
【背景技術】
【０００２】
従来の断熱材を有した床構造として、大引きの上に根太を設置する根太構造においては、断熱材を大引き間および根太間に充填する床構造が知られている。また、構造用合板等で構成された下地材を大引きの上に設置する構造用合板構造においては、断熱材を大引き間に充填する床構造が知られている。
【０００３】
前記根太構造においては、床下構造材（大引き）の上に他の床下構造材（根太）が設置され、その根太の上に下地合板等の下貼り用の下地材が設置され、その上に仕上げ用床材が設置される。また、構造用合板構造においては、床下構造材（大引き）に設置された構造用合板の上に仕上げ用床材が設置される。
【０００４】
このように断熱材を床下構造材間に配した床構造の技術を開示した文献として、たとえば特許文献１が挙げられる。このものは、仕上げ用床材が着脱自在な構成であり、その仕上げ用床材の直下に断熱材が配されており、仕上げ用床材を取り外すことで断熱材の点検、補修も簡単に行えるようになっている。
【先行技術文献】
【特許文献】
【０００５】
【特許文献１】特開２００２−１３８６１９号公報
【発明の概要】
【発明が解決しようとする課題】
【０００６】
しかしながら、上記根太構造においては、大引きと根太が交差する部位の上下には断熱材が配されず、その部位が熱橋となって熱や冷気が室内に伝わってくる。また、構造用合板構造においては、大引きの上下には断熱材が配されず、その部位が熱橋となって熱や冷気が室内に伝わってくる。
【０００７】
本発明は、このような事情を考慮して提案されたもので、その目的は、熱や冷気の伝わりやすい部位を極力少なくした、断熱性能の高い床構造を提供することにある。
【０００８】
また、仕上げ用床材の局所的な張り替えの際や、床下に配した断熱材の点検、補修、交換等の際に、仕上げ用床材の設置が簡易に行える床下構造を提供することをさらなる目的としている。
【課題を解決するための手段】
【０００９】
上記目的を達成するために、本発明に係る床構造は、床下構造材間に第１の断熱材を嵌め込み、床下構造材および第１の断熱材の上に下地材を設置し、下地材の上に第２の断熱材を有した下地用パネルを設置し、下地用パネルの上に仕上げ用床材を着脱自在に設置することを特徴とする。
【００１０】
本発明において、下地用パネルの表面と、仕上げ用床材の裏面とのいずれか一方に凸部が形成され、他方に凸部と嵌合する凹部が形成されている構成としてもよい。
【００１１】
また本発明において、下地用パネルと、仕上げ用床材とは面ファスナーにより着脱自在とされる構成としてもよい。
【００１２】
さらに本発明において、下地用パネルの端部には、下地用パネル同士を連結する嵌合部が形成されている構成としてもよい。
【００１３】
また本発明において、嵌合部は止具にて下地材に固定される構成としてもよい。
【発明の効果】
【００１４】
本発明に係る床構造によれば、上述のような構成としたことで、熱や冷気の伝わりやすい部位を少なくして断熱性能を高めることができる。また、上述の構成によれば、仕上げ用床材の張り替えの際や、床下に配した断熱材の点検、補修、交換等の際に、仕上げ用床材の下地材の上への設置が簡易に行える。
【図面の簡単な説明】
【００１５】
【図１】本発明の一実施形態に係る床構造の概略縦断面図である。
【図２】（ａ）は同床構造に用いられる下地用パネルの平面図、（ｂ）は同仕上げ用床材の裏面（底面）図である。
【図３】同床構造の概略分解斜視図である。
【図４】（ａ）〜（ｃ）は、同下地用パネルの端部嵌合構造の３例を示した部分縦断面図である。
【発明を実施するための形態】
【００１６】
以下に、本発明に係る床構造の一実施形態について、添付図面を参照しながら説明する。
【００１７】
本床構造は、床下構造材を構成する大引き１０、１０間に第１の断熱材１１を嵌め込み、それらの上に下地材１２を設置し、その上に、第２の断熱材２２を有した下地用パネル２０を設置し、さらにその上に仕上げ用床材３０を設置して構成されている（図１参照）。
【００１８】
なお、本床構造を採用する床下の構造としては、本実施形態では大引き１０の上に構造用合板で構成された下地材１２を設置する構造用合板構造を例示したが、大引きの上に、床下構造材を構成する根太（不図示）を設置する根太構造に適用したものでもよい。この根太構造の場合には、大引き１０間および根太間に第１の断熱材１１が設置され、それらの上に下地材（下地合板）が設置される構造となっている。
【００１９】
第１の断熱材１１としては、発泡ウレタン、発泡ポリスチレン等の充填断熱材を用いればよい。
【００２０】
また、下地材１２の上に設置する下地用パネル２０は、その外郭をなすパネル本体２１と、そのパネル本体２１に内蔵された第２の断熱材２２とを有した構成となっている。
【００２１】
パネル本体２１は、合成樹脂（ＰＰ樹脂、ＦＲＰ樹脂等）や木材で製されていることが望ましい。内蔵する第２の断熱材２２としては、発泡ウレタン、発泡ポリスチレン、真空断熱材が用いられる。
【００２２】
この下地用パネル２０は、図２、図３に示すように矩形状をなし、下地材１２の上に隈なく敷きつめられる。
【００２３】
本床構造は、上述したように、第１の断熱材１１と、下地用パネル２０に含まれる第２の断熱材２２とにより２重構造で、かつ平面的にみて隈なく配される構造であるため、断熱効果がきわめて高い。特に、平面的にみた場合、断熱材が配されない部位はほとんどないため、熱や冷気が伝わりやすい部位（熱橋）が生じることがほとんどない。
【００２４】
ついで、下地用パネル２０（パネル本体２１）同士の連結構造および下地用パネル２０と仕上げ用床材３０の配設構造について説明する。
【００２５】
パネル本体２１は、隣接する下地用パネル２０、２０同士を連結するための嵌合部２３を端部に備えている。図２、図３に示すように、パネル本体２１の端部は相じゃくり連結できるように、端部には相互に噛み合わせ可能な嵌合部２３が形成されている。なおここでは、説明の都合上、下部が欠けた嵌合部２３を上突部２３ａ、上部が欠けた嵌合部２３を下突部２３ｂと言う。
【００２６】
下地用パネル２０は、図１に示すように、上突部２３ａと、隣接する下地用パネル２０の下突部２３ｂとを重ね合わせ噛み合わせて、さらにその上から木ねじ５等の止具で下地材１２に固定される。なお、木ねじ５は、図２（ａ）の×印で位置を示したように等間隔で固定することが望ましい。
【００２７】
このように、下地用パネル２０は相互連結用の嵌合部２３を有した構造であるため、下地用パネル２０の位置決めを容易にでき、取り付け固定時のずれを少なくすることができる。また、嵌合部２３、２３同士を噛み合わせた状態で止具にて下地材１２に固定する構造であるため、下地用パネル２０を下地材１２に対して堅固に固定することができる。
【００２８】
この嵌合部２３の構造としては、図４（ａ）〜（ｃ）の嵌合部２３の部分縦断面図に示すような構造が挙げられる。
【００２９】
図４（ａ）のものは、下突部２３ｂには辺縁に平行で、その底部２３ｂｂが下地材１２に接触するような凹溝２３ｂａが形成され、上突部２３ａには下突部２３ｂの凹溝部２３ｂａに嵌め込み重合できる凸部を下方に形成した凹溝２３ａａが形成されている。
【００３０】
そして、凹溝２３ａａ、２３ｂａ同士の嵌合によってできた底部２３ａｂ、２３ｂｂ同士の重合部を下地材１２に木ねじ５で固定することで、下地用パネル２０、２０同士が連結し、それと同時に両下地用パネル２０、２０は下地材１２に固定される。
【００３１】
このように、下突部２３ｂ側の凹溝２３ｂａと、上突部２３ａ側の凹溝２３ａａの裏側の凸部とを嵌め合わせて連結、固定する構造であるため、両下地用パネル２０、２０は横方向に引き離されることはなく、両下地用パネル２０、２０の連結を強固にできる。
【００３２】
図４（ｂ）のものは、上突部２３ａのみに凹溝２３ａａが形成されており、下突部２３ｂには、その凹溝２３ａａの両壁部２３ａｃ、２３ａｃに対応する位置に脚部２３ｂｃ、２３ｂｃが設けられている。
【００３３】
そして、上突部２３ａの凹溝２３ａａの下方に突き出た凸部と、下突部２３ｂを重ね合わせて、上突部２３ａの凹溝２３ａａの底部２３ａｂを下地材１２に木ねじ５で固定することで、下地用パネル２０、２０同士が連結し、下地材１２に固定される。
【００３４】
このように、下突部２３ｂの中央に脚部２３ｂｃ、２３ｂｃが形成されているので、下突部２３ｂを安定した状態で固定でき、また脚部２３ｂｃ、２３ｂｃがリブとしても作用して下突部２３ｂ自体を強固にでき、木ねじ５による固定もしっかりとずれなく行える。
【００３５】
図４（ｃ）のものは、上突部２３ａの裏側には下方に突出した鉤爪付きの嵌合爪部２３ａｄが辺縁に沿って適所に形成してあり、下突部２３ｂの上面には、嵌合爪部２３ａｄに対応する箇所に嵌合受孔２３ｂｄが開設してある。
【００３６】
嵌合爪部２３ａｄの鉤爪は嵌合受孔２３ｂｄに挿入容易なようにガイド面が形成されており、いったん嵌合受孔２３ｂｄに挿入されると、鉤爪により取り外しがしにくいようになっている。
【００３７】
このように、嵌合爪部２３ａｄと嵌合受孔２３ｂｄとの嵌合によって下地パネル２０、２０同士を連結できる構成であるため、下地用パネル２０、２０同士の連結が簡易、迅速に行える。また、下地材１２にしっかりと固定させるために止具を併用してもよい。
【００３８】
このように、下地用パネル２０の嵌合部２３の構造として種々のものが想定できるが、上記３例のように、上突部２３ａの端面部２３ａｅの下端が下突部２３ｂの表面に当接するものが安定した連結を行うためには望ましい。また、下突部２３ｂの端面部２３ｂｅの下端が下地材１２の表面に当接することも安定した連結を行うために望ましい。
【００３９】
つぎに、仕上げ用床材３０の下地用パネル２０に対する着脱自在な取り付け構造について説明する。
【００４０】
本実施形態の床構造は、図３に示すように、１枚の下地用パネル２０に対して、４枚の仕上げ用床材３０、３０、・・・を設置する構成となっている。
【００４１】
下地用パネル２０の表面には、図２（ａ）、図３に示すように、適度な間隔で平行に、一端から他端にいたるまでの帯状の面ファスナーの第１構成材２４、２４、・・・（図中、クロスハッチングを付した箇所）が取り付けられている。面ファスナーは、仕上げ用床材３０を着脱自在に下地用パネル２０に設置するための固定部材であり、雌雄両材（第１構成材２４と第２構成材３１）よりなる。固定部材としては、たとえば粘着シート、両面テープ等でもよく、ずれが防止できる程度の微細凹凸でもよい。
【００４２】
これに対して、仕上げ用床材３０の裏面には、図２（ｂ）に示すように、下地用パネル２０の面ファスナーの第１構成材２４、２４、・・・を取り付けた位置に対応する位置に、面ファスナーの第２構成材３１、３１、３１（図中、クロスハッチングを付した箇所）が貼り付けてある。
【００４３】
このように仕上げ用床材３０は、面ファスナーの両構成材３１、２４同士の貼着によって、下地用パネル２０に対して取り外し可能に固定できるようになっている。
【００４４】
このように、本床構造は、仕上げ用床材３０が下地用パネル２０に対して着脱自在に設置される構造となっているため、局所的な仕上げ用床材３０の張り替えの際には、仕上げ用床材３０の簡易、迅速な取り外し、取り付けを行うことができる。また、仕上げ用床材３０が簡単に取り外し、取り付けができるので、床下に配した第１の断熱材１１、第２の断熱材２２の点検、補修、交換等も効率的に行える。
【００４５】
また、下地用パネル２０の表面には複数の（図例では２箇所に）凸部２５、２５が設けてあり、仕上げ用床材３０の裏面には、その凸部２５、２５に対応する凹部３２、３２が形成されている。これら凸部２５および凹部３２は、図２（ａ）（ｂ）に示すように、１枚の仕上げ用床材３０に対応して少なくとも２箇所に設けることが望ましい。少なくとも２箇所に設けることで、仕上げ用床材３０の下地用パネル２０に対する位置決めが簡易かつ確実に行える。
【００４６】
なお、面ファスナーの両構成材２４、３１同士の誤った固着を防止して仕上げ用床材３０を効率よく設置するためには、下地用パネル２０の凸部２５の高さ寸法を２つの面ファスナー２４、３１の合算された厚みよりも大きくすることが望ましい。
【符号の説明】
【００４７】
１０      大引き（床下構造材）
１１      第１の断熱材
１２      下地材
２０      下地用パネル
２１      パネル本体
２２      第２の断熱材
２３      嵌合部
２４      面ファスナーの第１構成材
２５      凸部
３０      仕上げ用床材
３１      面ファスナーの第２構成材
３２      凹部
５        木ねじ（止具）
【図１】
2013217130.tif 000003
【図２】
2013217130.tif 000004
【図３】
2013217130.tif 000005
【図４】
2013217130.tif 000006